【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
ループ状の情報伝送路を介して複数の装置が接続され、前記情報伝送路を経由して一方向に流れる信号を介して複数の前記装置の間における情報の授受が行われる情報ネットワークの制御方法であって、
個々の前記装置から、当該装置の前記情報ネットワーク上における識別情報を含み、後段の前記装置まで送信される第１の信号を定期的に送信することを特徴とする情報ネットワークの制御方法。
【請求項２】
請求項１記載の情報ネットワークの制御方法において、
個々の前記装置は、
当該装置における信号受信エラー発生を契機として生成され、当該装置の前記情報ネットワーク上における識別情報を含み、後段の前記装置まで送信される第２の信号を送信する操作、
前段の前記装置から受信した前記第１の信号に含まれる前記識別情報の変化から前記情報伝送路に接続される複数の前記装置の構成情報の変化を検出し、前記構成情報の変化を第３の信号として、他の前記装置に伝達する操作、
前段の前記装置からの前記第１の信号が所定の時間内に受信されないこと、または前記第２の信号の受信を契機として、前段の前記装置の前記情報伝送路からの切り離しを実行させる第４の信号を出力する操作、
の少なくとも一つの操作を行うことを特徴とする情報ネットワークの制御方法。
【請求項３】
ループ状の情報伝送路を介して相互に接続されることで情報ネットワークを構成する複数の装置からなり、前記情報伝送路を経由して一方向に流れる信号を介して複数の前記装置の間における情報の授受が行われる情報処理システムであって、
個々の前記装置は、当該装置の前記情報ネットワーク上における識別情報を含み、後段の前記装置まで送信される第１の信号を定期的に送信する機能を備えたことを特徴とする情報処理システム。
【請求項４】
請求項３記載の情報処理システムにおいて、
個々の前記装置は、
当該装置における信号受信エラー発生を契機として生成され、当該装置の前記情報ネットワーク上における識別情報を含み、後段の前記装置まで送信される第２の信号を送信する機能、
前段の前記装置から受信した前記第１の信号に含まれる前記識別情報の変化から前記情報伝送路に接続される複数の前記装置の構成情報の変化を検出し、前記構成情報の変化を第３の信号として、他の前記装置に伝達する機能、
前段の前記装置からの前記第１の信号が所定の時間内に受信されないこと、または前記第２の信号の受信を契機として、前段の前記装置の前記情報伝送路からの切り離しを実行させる第４の信号を出力する機能、
の少なくとも一つの機能を備えたことを特徴とする情報処理システム。
【請求項５】
請求項３または４記載の情報処理システムにおいて、
複数の前記装置は、ホスト装置と、前記ホスト装置の配下で稼働する記憶装置からなり、
前記情報伝送路は、バイパス手段を介して前記ホスト装置および前記記憶装置にループ状に接続されるＦＣ−ＡＬ（Ｆｉｂｒｅ  Ｃｈａｎｎｅｌ  Ａｒｂｉｔｒａｔｅｄ  Ｌｏｏｐ）からなり、
前記ＦＣ−ＡＬは、多重の第１および第２ＦＣ−ＡＬにて前記ホスト装置と前記記憶装置との間を接続する第１の構成、
前記バイパス手段は、前記ＦＣ−ＡＬとは別に設けられた専用インタフェースにて前記ホスト装置に接続され、前記ホスト装置が前記ＦＣ−ＡＬに対する前記記憶装置の接続および切り離しを行う第２の構成、
の少なくとも一方の構成を備え、
前記第１および第２ＦＣ−ＡＬにおける前記第４の信号による切り離し操作は、互いに他の第２ＦＣ−ＡＬまたは第１ＦＣ−ＡＬを経由して当該第４の信号を伝達することで行われることを特徴とする情報処理システム。
【請求項６】
ループ状の情報伝送路を介して複数の装置が接続され、前記情報伝送路を経由して一方向に流れる信号を介して複数の前記装置の間における情報の授受が行われる情報ネットワークの制御方法であって、
個々の前記装置から、当該装置の前記情報ネットワーク上における識別情報を含み、後段の前記装置まで送信される第１の信号を定期的に送信し、
個々の前記装置は、
当該装置における信号受信エラー発生を契機として生成され、当該装置の前記情報ネットワーク上における識別情報を含み、後段の前記装置まで送信される第２の信号を送信する操作、
前段の前記装置から受信した前記第１の信号に含まれる前記識別情報の変化から前記情報伝送路に接続される複数の前記装置の構成情報の変化を検出し、前記構成情報の変化を第３の信号として、他の前記装置に伝達する操作、
前段の前記装置からの前記第１の信号が所定の時間内に受信されないこと、または前記第２の信号の受信を契機として、前段の前記装置の前記情報伝送路からの切り離しを実行させる第４の信号を出力する操作、
を行うことを特徴とする情報ネットワークの制御方法。
【請求項７】
ループ状の情報伝送路を介して複数の装置が接続され、前記情報伝送路を経由して一方向に流れる信号を介して複数の前記装置の間における情報の授受が行われる情報ネットワークの制御方法であって、
ループ上の各装置に、
（ａ）定期的に自装置のループ上の位置情報（ＡＬ＿ＰＡ）を含む障害テスト信号を送信する機能、
（ｂ）前段の装置から送出される障害テスト信号から装置異常、及び構成情報変化を検出する機能、
（ｃ）前段の装置の異常を検出した場合に別ポートから前段の装置に対し、別ポートをループ上から切り離す逆ポートバイパス指示信号を送信する機能、及びこの信号を受信した時に逆ポートをバイパスする機能、
（ｄ）ＬＩＰ（Ｌｏｏｐ  Ｉｎｉｔｉａｌｉｚａｔｉｏｎ  Ｐｒｉｍｉｔｉｖｅ）［Ｆ８，ｘ］送信契機を検出した時に送信するポート異常検出信号、及び
（ｅ）前記（ａ）から（ｄ）で用いるファイバチャネル信号、及びその結果をホストに報告する機能、
を持たせ、
各装置は、それぞれのループで実行されるループ初期化処理により、各ループ上の装置のＡＬ＿ＰＡ（Ａｒｂｉｔｒａｔｅｄ  Ｌｏｏｐ  Ｐｈｙｓｉｃａｌ  Ａｄｄｒｅｓｓ）をループマップとして記憶し、このループマップでは各ポートがバイパスされている状態か否かも管理する、
ことを特徴とする情報ネットワークの制御方法。
【請求項８】
ループ状の情報伝送路を介して相互に接続されることで情報ネットワークを構成する複数の装置からなり、前記情報伝送路を経由して一方向に流れる信号を介して複数の前記装置の間における情報の授受が行われる情報処理システムであって、
個々の前記装置は、当該装置の前記情報ネットワーク上における識別情報を含み、後段の前記装置まで送信される第１の信号を定期的に送信する機能を備え、
個々の前記装置は、
当該装置における信号受信エラー発生を契機として生成され、当該装置の前記情報ネットワーク上における識別情報を含み、後段の前記装置まで送信される第２の信号を送信する機能、
前段の前記装置から受信した前記第１の信号に含まれる前記識別情報の変化から前記情報伝送路に接続される複数の前記装置の構成情報の変化を検出し、前記構成情報の変化を第３の信号として、他の前記装置に伝達する機能、
前段の前記装置からの前記第１の信号が所定の時間内に受信されないこと、または前記第２の信号の受信を契機として、前段の前記装置の前記情報伝送路からの切り離しを実行させる第４の信号を出力する機能、
を備え、
複数の前記装置は、ホスト装置と、前記ホスト装置の配下で稼働する記憶装置からなり、
前記情報伝送路は、バイパス手段を介して前記ホスト装置および前記記憶装置にループ状に接続されるＦＣ−ＡＬ（Ｆｉｂｒｅ  Ｃｈａｎｎｅｌ  Ａｒｂｉｔｒａｔｅｄ  Ｌｏｏｐ）からなり、
前記ＦＣ−ＡＬは、多重の第１および第２ＦＣ−ＡＬにて前記ホスト装置と前記記憶装置との間を接続する第１の構成、
前記バイパス手段は、前記ＦＣ−ＡＬとは別に設けられた専用インタフェースにて前記ホスト装置に接続され、前記ホスト装置が前記ＦＣ−ＡＬに対する前記記憶装置の接続および切り離しを行う第２の構成、
を備え、
前記第１および第２ＦＣ−ＡＬにおける前記第４の信号による切り離し操作は、互いに他の第２ＦＣ−ＡＬまたは第１ＦＣ−ＡＬを経由して当該第４の信号を伝達することで行われることを特徴とする情報処理システム。
【請求項９】
ループ状の情報伝送路を介して相互に接続されることで情報ネットワークを構成する複数の装置からなり、前記情報伝送路を経由して一方向に流れる信号を介して複数の前記装置の間における情報の授受が行われる情報処理システムであって、
ループ上の各装置は、
（ａ）定期的に自装置のループ上の位置情報（ＡＬ＿ＰＡ）を含む障害テスト信号を送信する機能、
（ｂ）前段の装置から送出される障害テスト信号から装置異常、及び構成情報変化を検出する機能、
（ｃ）前段の装置の異常を検出した場合に別ポートから前段の装置に対し、別ポートをループ上から切り離す逆ポートバイパス指示信号を送信する機能、及びこの信号を受信した時に逆ポートをバイパスする機能、
（ｄ）ＬＩＰ（Ｌｏｏｐ  Ｉｎｉｔｉａｌｉｚａｔｉｏｎ  Ｐｒｉｍｉｔｉｖｅ）［Ｆ８，ｘ］送信契機を検出した時に送信するポート異常検出信号、及び
（ｅ）前記（ａ）から（ｄ）で用いるファイバチャネル信号、及びその結果をホストに報告する機能、
を備え、
各装置は、それぞれのループで実行されるループ初期化処理により、各ループ上の装置のＡＬ＿ＰＡ（Ａｒｂｉｔｒａｔｅｄ  Ｌｏｏｐ  Ｐｈｙｓｉｃａｌ  Ａｄｄｒｅｓｓ）をループマップとして記憶し、このループマップでは各ポートがバイパスされている状態か否かも管理する、
ことを特徴とする情報処理システム。
【手続補正２】
【補正対象書類名】明細書
【補正対象項目名】００１７
【補正方法】変更
【補正の内容】
【００１７】
【課題を解決するための手段】
本発明では、ループ上の各装置に、
（ａ）定期的に自装置のループ上の位置情報（ＡＬ＿ＰＡ）を含む障害テスト信号を送信する機能、
（ｂ）前段の装置から送出される障害テスト信号から装置異常、及び構成情報変化を検出する機能、
（ｃ）前段の装置の異常を検出した場合に別ポートから前段の装置に対し、別ポートをループ上から切り離す逆ポートバイパス指示信号を送信する機能、及びこの信号を受信した時に逆ポートをバイパスする機能、
（ｄ）ＬＩＰ［Ｆ８，ｘ］送信契機を検出した時に送信するポート異常検出信号、及び
（ｅ）上述の（ａ）から（ｄ）で用いるファイバチャネル信号、及びその結果をホストに報告する機能、
を用意する。
【手続補正３】
【補正対象書類名】明細書
【補正対象項目名】００２１
【補正方法】変更
【補正の内容】
【００２１】
しかし、定められた時間内に障害テスト信号が受信されなければ、前段の当該ポートに内部異常が発生していると考えられる。この場合、前段の逆ポートで障害が発生してなく、かつ自ポートの逆ポートも障害が発生していなければ、（ｃ）、（ｅ）で述べる逆ポートバイパス指示信号を当該装置の逆ポートから送信することで、前段の障害ポートの逆ポートからの指示により障害発生ポートをループ上から切り離しループを再構築することができる。また、１重のループ構成や、逆ポートからのバイパス指示ができない場合でも、障害テスト信号の受信タイムアウト結果をホスト装置に通知し、ホストによるバイパスを要求しても良い。
【手続補正４】
【補正対象書類名】明細書
【補正対象項目名】００２４
【補正方法】変更
【補正の内容】
【００２４】
次に信号受信回路に異常を検出したポートは、（ｄ）に述べるポート異常検出信号を後段のポートに送信することで、この信号を受信したポートは内部異常が発生しているポートの切り離しと同様の手順で逆ポートからの指示により障害発生ポートをループ上から切り離しループを再構築することができる。